(57)【要約】【課題】果実の商品価値を高めそれを維持する為に実施する袋掛け作業は、害虫・野鳥・日焼け防止対策として、手作業で実施されている。この作業は、果実用半自動袋結束器を使用することにより作業の能率向上・労働力の軽減化・人員の削減・環境保全等が図れる。【解決手段】果実に紙袋を被せる手段として簡単な操作で作業出来る本体機器と外付けの小型蓄電池（充電式）とをコードで結んだ小型軽量電動結束器を採用することにより今までより作業範囲が広範囲となり作業時間が短縮され労働力の軽減をはかり人員の削減等に寄与することが可能である。【選択図】  図１
2004307051.tif 000002
【特許請求の範囲】
【請求項１】
袋ケース内に入れた紙袋をフレーム本体が前後進することにより紙袋を絞り込む袋結束器。
【請求項２】
フレーム本体内に組み込まれた袋結束部が作動し、紙袋を絞り込んだ部分を和紙テープで結束する袋結束器。
【請求項３】
スイッチ部分とプリント基板を連結させてフレーム本体の動きを駆動制御が出来る袋結束器。
【発明の詳細な説明】
【０００１】
【産業上の利用分野】果実を保護する紙袋を半自動化した機器で結束し、果実に袋を被せる作業を容易にした半自動結束機器である。
【０００２】
【発明の属する技術分野】この発明は、果実の袋掛け作業に使用する紙袋を結束する機器に関するものである。
【０００３】
【従来の技術】果実の商品価値を高めそれを維持するために害虫・野鳥・日焼け等から果実を保護する必要がある。
【０００４】その為に手作業にて果実個々に袋を被せる作業を実施している。
【０００５】
【発明が解決しようとする課題】果実に袋を被せる作業は、果実個々に手作業にて袋を被せている。
【０００６】その為に作業能率が上がらず長時間の労働を強いられ重労働となる。繁忙期には、多数の人手を必要とする。
【０００７】それを解決するにあたり、作業能率向上・軽労働化・人員削減を望む機器の開発が求められている。
【０００８】
【課題を解決するための手段】課題を解決する為に本発明は、電動にて稼動することを考え袋ケースに入れてある紙袋をフレーム本体の前後進により袋上部を絞り込んで和紙テープにて結束する機構の紙袋結束器を提供する。
【０００９】この機器は、安易に運べるように小型軽量化し操作の簡易性を考え、作業能率向上と労働負担の軽減を図った。
【００１０】小型化と軽量化を図るために駆動部分をプリント基板にし、本体部を樹脂化仕様とした。
【００１１】更に軽量化を図るために、小型蓄電池（充電力を機器本体から外し、コードで連結する外付仕様とした。
【００１２】
【発明の実施の形態】本発明による果実袋結束器は、スイッチを入れると電動にて稼動しフレーム本体の前後進作動により紙袋を絞り込み和紙テープで紙袋上部を結束する機構のものである。
【００１３】操作の簡易性と軽量化を図り持ち運びを可能な機器としたため作業能率の向上・軽労働化・人員削減を推進出来る。
【００１４】小型蓄電池（充電式）を採用し機器本体とコードで結んであるので作業行動範囲が広くなる。
【００１５】以上のことにより、本発明は、操作が容易で軽量且つ広範囲に渡り作業対応可能な機能を保持した半自動袋結束器である。
【００１６】
【実施例】以下、添付図面を参照の上本発明の実施例について説明をする。
【００１７】
【図１】から
【図６】は、本発明に係る袋結束器の図面である。
【００１８】
【請求項１】に係る紙袋を絞り込む機構については、
【図１】から
【図４】を参照の上具体的に説明する。
【００１９】袋ケース▲５▼に紙袋を手作業にて入れた後、果実に袋を被せる。
【００２０】引き金▲４▼を押すことによりモーター▲１６▼がギヤー（Ａ）▲６▼、ギヤー（Ｂ）▲７▼を回転させギヤー（Ｂ）▲７▼がラック下▲８▼・ラック上▲９▼間を動きフレーム本体を動かす。
【００２１】フレーム上▲２▼・フレーム中▲３▼が前進し、袋ケース▲５▼内にある紙袋上部を紙絞り爪▲１３▼，同▲１４▼で包み込み、袋ケース中心部で絞込みを完了する。
【００２２】
【請求項２】に係る紙袋を和紙テープにて結束する機構について、
【図５】を参照の上具体的に説明する。
【００２３】フレーム中▲３▼に取り付けてある和紙テープ結束部
【図５】が絞り込まれた紙袋の結束をする。
【００２４】袋ケース▲５▼中心部で紙袋が絞り込まれると同時にフレーム中▲３▼内部に組み込まれている和紙テープ結束部▲１２▼が前進する。
【００２５】結束要領は、
【図５】のストッパー▲１９▼が上がりシールアーム（Ａ）▲２０▼とシールアーム（Ｂ）▲２１▼が開き絞り込まれた紙袋の上部を挟み込む。
【００２６】其の時に紙袋と和紙テープが、歯車▲１７▼の部分を通過すると同時にテープホルダー▲１１▼にある和紙テープが紙袋を接着し、接着後切断刃▲１８▼が出て和紙テープを切断する。
【００２７】和紙テープにて紙袋を結束後、フレーム中▲３▼が後退する。
【００２８】スイッチ▲４▼を１度押すことでこの一連の動きを全て行うことができる。
【００２９】
【請求項３】に係る駆動制御部について
【図６】参照の上具体的に説明する。
【００３０】駆動制御は、プリント基板に組み込まれたリレー・リミットスイッチ等により管理される。
【００３１】スイッチ▲４▼を入れるとリレー▲２３▼▲２４▼，リミットスイッチ▲２５▼▲２６▼との連動によりモーター▲１６▼を正，逆転させることによりフレーム下▲１▼，フレーム上▲２▼，フレーム中▲３▼が前・後進し紙袋を結束する一連の動きを制御する。
【００３２】
【発明の効果】本発明は、以上説明した形で実施した場合、以下の様な効果をもたらす。
【００３３】果実の商品価値を高めそれを維持する為の袋掛け作業が容易になり、作業の能率向上・軽労働化・人員削減ひいては果実の原価に反映する。
【００３４】和紙テープを使用することにより土壌内で腐敗し環境保全に寄与する。
【図面の簡単な説明】
【図１】果実用半自動袋結束器に関する立体図
【図２】同側面図
【図３】同上面図
【図４】同正面図
【図５】同結束部詳細図
【図６】同プリント基板図
【符号の説明】
▲１▼  フレーム下                  ▲９▼  ラック上
▲２▼  フレーム上                  ▲１０▼  取っ手
▲３▼  フレーム中                  ▲１１▼  テープホルダー
▲４▼  引き金                      ▲１２▼  袋結束部
▲５▼  袋ケース                    ▲１３▼  袋絞り爪（上）
▲６▼  ギヤー（Ａ）                ▲１４▼  袋絞り爪（下）
▲７▼  ギヤー（Ｂ）                ▲１５▼  上蓋
▲８▼  ラック下                    ▲１６▼  モーター
▲１７▼  歯車                  ▲２２▼  蓄電池
▲１８▼  切断刃                ▲２３▼  リレー（Ａ）
▲１９▼  ストッパー            ▲２４▼  リレー（Ｂ）
▲２０▼  シールアーム（Ａ）    ▲２５▼  リミットスイッチ（Ａ）
▲２１▼  シールアーム（Ｂ）    ▲２６▼  リミットスイッチ（Ｂ）
【図１】
2004307051.tif 000003
【図２】
2004307051.tif 000004
【図５】
2004307051.tif 000005
【図６】
2004307051.tif 000006
【図３】
2004307051.tif 000007
【図４】
2004307051.tif 000008